(57)【要約】【課題】  防犯性に優れ、玄関先の訪問者等の確認が容易で、通気性や採光性に優れ、隣人の気配を感じることができる、玄関前に設置されるパネルセットを提供する。【解決手段】  玄関及びそれに連なる住宅の外壁の前方にエントランス空間３６を確保するために設置され、当該エントランス空間３６とエントランス空間３６の外側の共用通路３４とを仕切るパネルセット１０であって、床面と天井面との間に固定された固定パネルと、開閉可能に設置された扉パネルと、当該扉パネルの施錠手段とを備え、固定パネル及び扉パネルのうちの少なくともいずれか一方は、エントランス空間３６と共用通路３４との間での通風が可能であるとともに、共用通路３４側からエントランス空間３６への採光が可能であり、かつ、エントランス空間３６から共用通路３４の視認が可能な構造であることを特徴とするパネルセットである。【選択図】  図１
2009084892.tif 000002
【特許請求の範囲】
【請求項１】
玄関及びそれに連なる住宅の外壁の前方にエントランス空間を確保するために設置され、当該エントランス空間とエントランス空間外側の外部空間とを仕切るパネルセットであって、
床面と天井面との間に固定された固定パネルと、開閉可能に設置された扉パネルと、当該扉パネルの施錠手段とを備え、
前記固定パネル及び前記扉パネルのうちの少なくともいずれか一方は、前記エントランス空間と前記外部空間との間での通風が可能であるとともに、前記外部空間側から前記エントランス空間への採光が可能であり、かつ、前記エントランス空間から前記外部空間の視認が可能な構造である
ことを特徴とするパネルセット。
【請求項２】
前記扉パネルは、前記固定パネルに組み込まれた構造になっていることを特徴としている請求項１に記載のパネルセット。
【請求項３】
エントランスプレートをさらに備え、
当該エントランスプレートは、表札取付部、インターホン取付部、郵便受け用の開口部、照明取付部のうちの少なくとも一つを有している
ことを特徴とする請求項１又は請求項２に記載のパネルセット。
【請求項４】
前記外部空間側からの視線を遮る遮蔽板をさらに備えていることを特徴とする請求項１ないし請求項３のいずれか一項に記載のパネルセット。
【請求項５】
請求項１ないし請求項４のいずれか一項に記載されたパネルセットが設置されたことを特徴とする住宅。
【請求項６】
前記エントランス空間は、当該エントランス空間と居住空間とを仕切る前記外壁に設置された１つ以上の通風及び採光が可能な窓に面していることを特徴とする請求項５に記載の住宅。
【請求項７】
前記外壁に設置された前記１つ以上の窓のうちの少なくとも１つが掃き出し窓であることを特徴とする請求項６に記載の住宅。
【請求項８】
前記住宅は、集合住宅の住個であることを特徴とする請求項５ないし請求項７のいずれか一項に記載の住宅。
【請求項９】
前記住個の各居室は、前記エントランス空間側の周壁及び前記エントランス空間側とは反対側の周壁に、通風及び採光を可能にする戸若しくは窓を備えていることを特徴とする請求項８に記載の住宅。
【請求項１０】
前記エントランス空間は、その床面が防水構造であり、水道設備が設置されていることを特徴とする請求項５ないし請求項９のいずれか一項に記載の住宅。
【発明の詳細な説明】
【技術分野】
【０００１】
本願発明は、玄関前に設置されるパネルセット及び該パネルセットが玄関前に設置された換気性や採光性に優れる住宅、特に、集合住宅に関するものである。
【背景技術】
【０００２】
住宅、特にマンション等の集合住宅の各住個では、住宅あるいは住個の外壁が道路や共用通路等の共有スペースに隣接した造りになる場合が多い。このような造りの住宅又は住個では、共有スペースに隣接する壁や当該壁に設けられた玄関や窓の構造は、防犯に優れた構造になっている。
【０００３】
例えば、共有スペースに隣接する玄関では、金属製の玄関ドアなど、堅牢な玄関ドアが用いられている（特許文献１参照）。そして、共有スペースに面する壁については、窓を設けない構造にすることがある。また、当該壁に窓を設置する場合でも、腰壁高の窓を設置し、窓の外側にフェンスを設置して防犯機能を確保している。
【特許文献１】特開平１０−３０６６００号公報
【発明の開示】
【発明が解決しようとする課題】
【０００４】
ところで、上述したような従来の住宅や住個は、防犯性に優れているが、防犯性を重視すると、訪問者などの玄関先にいる者の確認を容易にすることができなくなる場合がある。
【０００５】
訪問者等を確認する手段としては、例えば、玄関ドアに設けられた覗き穴を挙げることができる。ところが、覗き穴越しの視野、特に視野の周辺部分は湾曲しており、訪問者を確認しにくい場合がある。また、堅牢な構造の玄関ドアは、遮音性に優れているものが多く、玄関先にいる訪問者等と玄関ドア越しに会話をすることが難しく、会話によって訪問者等が誰であるかを確認することも難しい。したがって、玄関先の訪問者等を確実に確認するためには、玄関の外側を視認するためカメラ及びカメラで撮影した映像を映し出すモニタ等が必要になる。
【０００６】
また、防犯性に優れた構造の住宅では、共有スペースに面する壁に窓が設置されていないか、設置されていても小さい窓であり、しかも、防犯面を考慮すると窓を開けることができないので、換気をすることが難しい。そして、防犯のためのフェンスが設置されているので、採光することが容易でない。
【０００７】
また、防犯性に優れる構造の住宅では、隣人、特に集合住宅の隣接住個に住む隣人の気配を感じる機会がほとんどないので、コミュニティを形成しにくく、隣人を知ることによって生ずる相互防犯を機能させることが難しい。
【０００８】
本発明は、従来の住宅や集合住宅の住個が有するこのような問題点に鑑みてなされたものであり、防犯性に優れた構造であり、しかも、玄関先の訪問者等の確認が容易であり、通気性や採光性に優れており、隣人の気配を感じることでコミュニティ形成が容易な、玄関前に設置されるパネルセット及び当該パネルセットが設置された住宅を提供することを課題とする。
【課題を解決するための手段】
【０００９】
前記のような課題は、本願の各請求項に記載された次のような発明により解決される。
すなわち、その請求項１に記載された発明は、玄関及びそれに連なる住宅の外壁の前方にエントランス空間を確保するために設置され、当該エントランス空間とエントランス空間外側の外部空間とを仕切るパネルセットであって、床面と天井面との間に固定された固定パネルと、開閉可能に設置された扉パネルと、当該扉パネルの施錠手段とを備え、前記固定パネル及び前記扉パネルのうちの少なくともいずれか一方は、前記エントランス空間と前記外部空間との間での通風が可能であるとともに、前記外部空間側から前記エントランス空間への採光が可能であり、かつ、前記エントランス空間から前記外部空間の視認が可能な構造であることを特徴とするパネルセットである。
【００１０】
請求項１に記載された発明のパネルセットは、前記のように構成されており、開閉可能な扉パネルを備えているので、玄関からエントランス空間に出た者は、扉パネルを開閉することで外部空間に対して出入りすることができる。そして、エントランス空間は、パネルセットによって外部空間と仕切られており、パネルセットには扉パネルの施錠手段が備えられているので、施錠をすることで、エントランス空間及び住居内空間の防犯を確実に確保することができる。
【００１１】
そして、パネルセットは、外部空間の視認が可能な仕切り構造であるので、住宅の住人は、防犯性を備えたエントランス空間内や居住空間内に居ながらにして、訪問者など、エントランス空間の外側の外部空間に居る者を、視認及び会話を交わすことによって容易に確認することができる。
【００１２】
また、パネルセットは、エントランス空間と外部空間との間での通風が可能であるとともに、外部空間側からの採光が可能であるので、外部空間との間で通風、採光を容易に行うことができる。そして、上述したように防犯機能を備えるパネルセットを設置すれば、居室とエントランス空間との間の壁に、必ずしも防犯機能を持たせる必要がなくなるので、エントランス空間に面する壁を通気性や採光性に優れる構造にした、通気性及び採光性に優れる配置計画を採用することが可能になる。
【００１３】
また、住宅の住人は、パネルセットによって仕切られたエントランス空間に居るとき、外部空間に居る者、延いては、隣接する住宅や住個のエントランス空間に居る住人の気配を感じることができる。したがって、エントランス空間内や住居空間内に居ながらにして、隣人等とパネルセット越しに対面して挨拶をしたり、隣の住宅又は住個のエントランス空間内に居る隣人と会話をしたりすることができるので、より容易にコミュニティを形成することができる。このようにしてコミュニティが形成されれば、隣人との間で相互防犯機能を発揮させることができるようになる。
【００１４】
また、請求項２に記載された発明は、請求項１に記載のパネルセットであって、扉パネルは、前記固定パネルに組み込まれた構造になっていることを特徴としている。
【００１５】
請求項２に記載された発明は、前記のように構成されており、扉パネルは、前記固定パネルに組み込まれた構造になっているので、設置幅に合わせて固定パネルを連続的に設置することで簡単にパネルセットを設置することができる。
【００１６】
また、請求項３に記載された発明は、請求項１又は請求項２に記載のパネルセットにおいて、エントランスプレートをさらに備え、当該エントランスプレートは、表札取付部、インターホン取付部、郵便受け用の開口部、照明取付部のうちの少なくとも一つを有していることを特徴としている。
【００１７】
請求項３に記載された発明は、前記のように構成されており、パネルセットに、表札取付部、インターホン取付部、郵便受け用の開口部、照明取付部などを有するエントランスプレートが備えられているので、パネルセットの扉パネルを対外的には玄関ドアとして機能させることができる。
【００１８】
請求項４に記載された発明は、請求項１ないし請求項３のいずれか一項に記載のパネルセットにおいて、外部空間側からの視線を遮る遮蔽板をさらに備えていることを特徴としている。
【００１９】
請求項４に記載された発明は、前記のように構成されており、パネルセットに視線を遮る遮蔽板が備えられているので、外部空間に居る者は容易に居住空間内を見ることができず、したがって住居空間内のプライバシーが確保されて居住性が向上する。
【００２０】
請求項５に記載された発明は、請求項１ないし請求項４のいずれか一項に記載されたパネルセットが設置されたことを特徴とする住宅である。
【００２１】
請求項５に記載された発明は、前記のように構成されており、その住宅は、開閉可能な扉パネルを備えているので、玄関からエントランス空間に出たものは、扉パネルを開閉することで外部空間に対して出入りすることができる。そして、エントランス空間は、パネルセットによって外部空間と仕切られており、パネルセットには扉パネルの施錠手段が備えられているので、施錠をすることで、エントランス空間及び住居内空間の防犯を確実に確保することができる。
【００２２】
そして、パネルセットは外部空間の視認が可能な仕切り構造であるので、住宅の住人は、防犯性を備えたエントランス空間内や居住空間内に居ながらにして、訪問者など、エントランス空間の外側の外部空間に居る者を、視認及び会話を交わすことによって容易に確認することができる。
【００２３】
また、パネルセットは、エントランス空間と外部空間との間での通風が可能であるとともに、外部空間側からの採光が可能であるので、外部空間との間で通風、採光を容易に行うことができる。そして、上述したように防犯機能を備えるパネルセットを設置すれば、居室とエントランス空間との間の壁に、必ずしも防犯機能を持たせる必要がなくなるので、エントランス空間に面する壁を通気性や採光性に優れる構造にした、通気性及び採光性に優れる住宅配置計画を採用することが可能になる。
【００２４】
また、住宅の住人は、玄関を利用して、居住空間とエントランス空間との間を容易に行き来することができ、防犯が確保されたエントランス空間を安心した状態で利用することができる。そして、住人は、エントランス空間に居るとき、外部空間に居る者や、隣接する住宅や住個のエントランス空間に居る住人の気配を感じることができる。したがって、エントランス空間内に居ながらにして、隣人等とパネルセット越しに対面して挨拶をしたり、隣の住宅又は住個のエントランス空間内に居る隣人と会話をしたりすることができるので、より容易にコミュニティを形成することができる。このようにしてコミュニティが形成されれば、隣人との間で相互防犯機能を発揮させることができるようになる。
【００２５】
請求項６に記載された発明は、請求項５に記載の住宅において、エントランス空間は、当該エントランス空間と居住空間とを仕切る外壁に設置された１つ以上の通風及び採光が可能な窓に面していることを特徴としている。
【００２６】
請求項６に記載された発明は、前記のように構成されているので、パネルセット及びエントランス空間が防犯構造として機能する。これにより、外部空間に居る者は、エントランス空間と居住空間との間の外壁に近づけなくなる。したがって、当該外壁に窓が設置されている場合、当該窓を開放し易くなるので、通気性を確保し易くなる。そして、窓の外にフェンス等を設置する必要がなくなるので、採光性をも確保し易くなる。より高い通気性が確保されれば、換気扇などの換気手段の使用を最小限にすることができ、しかも、より高い採光性が確保されれば、昼間の照明の使用を最小限にすることができるので、エネルギー使用量を最小限に抑制することができ、生活費や二酸化炭素排出量を抑制することができる。
【００２７】
請求項７に記載された発明は、請求項６に記載の住宅において、外壁に設置された前記１つ以上の窓のうちの少なくとも１つが掃き出し窓であることを特徴としている。
【００２８】
請求項７に記載された発明は、前記のように構成されており、パネルセットの設置によりエントランス空間が確保されているので、パネルセット及びエントランス空間が防犯の機能をする。これにより、エントランス空間に接する外壁に、掃き出し窓などの大きな窓を設置することができる。より大きな窓を設置することができれば、通気性及び採光性をより確実に確保し易くなる。
【００２９】
請求項８に記載された発明は、請求項５ないし請求項７のいずれか一項に記載の住宅において、当該住宅は集合住宅の住個であることを特徴としている。
【００３０】
請求項８に記載された発明は、前記のように構成されており、その住宅がマンション等の集合住宅である。集合住宅の各住個は、共用通路等の共有スペースに隣接した造りになっている場合が多く、より防犯性に優れた構造が採用された住宅である。つまり、集合住宅の住個では、戸建ての住宅の場合よりも、訪問者等の確認がしにくいといった問題や、換気や採光がしにくいといった問題がより生じ易い。したがって、上述したようなパネルセットを設置した住宅構造は、マンション等の集合住宅の各住個の構造として、より好適であるということができる。
【００３１】
請求項９に記載された発明は、請求項８に記載の住宅において、住個の各居室は、エントランス空間側の周壁及びエントランス空間側とは反対側の周壁に、通風及び採光を可能にする戸若しくは窓を備えていることを特徴としている。
【００３２】
請求項９に記載された発明は、前記のように構成されており、各居室は、エントランス空間側の周壁及びエントランス空間側とは反対側の周壁に、通風及び採光を可能にする戸若しくは窓を備えているので、通風性及び採光性に、より優れている。すなわち、本発明は、元々、玄関側すなわちエントランス空間側の外壁に通風及び採光が可能な窓が設置されており、エントランス空間側とは反対側の窓との間での風力換気が可能な構造である。したがって、各居室のエントランス空間側の周壁及びエントランス空間側とは反対側の周壁に、通風及び採光を可能にする戸若しくは窓をさらに備えれば、集合住宅の住個のエントランス空間側とその反対側との間で、効率良く風力換気を行うことができるとともに、採光も、最大可能量を住宅の奥部にまで取り入れることが可能になる。
【００３３】
請求項１０に記載された発明は、請求項５ないし請求項９のいずれか一項に記載の住宅において、エントランス空間は、その床面が防水構造であり、水道設備が設置されていることを特徴としている。
【００３４】
請求項１０に記載された発明は、前記のように構成されており、エントランス空間は、外部空間とのアクセスが良いので、外部空間から汚れや埃などが持ち込まれ易いところ、エントランス空間の床面が防水構造であり、エントランス空間に水道設備が設置されているので、汚れたものを住居内に持ち込む前に水で洗浄することができる。また、エントランス空間を水で流して清掃することができ、エントランス空間をきれいな状態に容易に保つことができる。その他、エントランス空間に居ながらにして、水を各種の用途に使用することができる。
【発明の効果】
【００３５】
前記のとおり、本願の発明のパネルセット及び当該パネルセットを用いた住宅によれば、パネルセットは開閉可能な扉パネルを備えているので、玄関からエントランス空間に出た者は、扉パネルを開閉することで外部空間に対して出入りすることができる。そして、エントランス空間は、パネルセットによって外部空間と仕切られており、パネルセットには扉パネルの施錠手段が備えられているので、施錠をすることで、エントランス空間及び住居内空間の防犯を確実に確保することができる。
【００３６】
そして、パネルセットは、外部空間の視認が可能な仕切り構造であるので、住宅の住人は、防犯性を備えたエントランス空間内や居住空間内に居ながらにして、訪問者など、エントランス空間の外側の外部空間に居る者を、視認及び会話を交わすことによって容易に確認することができる。
【００３７】
また、パネルセットは、エントランス空間と外部空間との間での通風が可能であるとともに、外部空間側からの採光が可能であるので、外部空間との間で通風、採光を容易に行うことができる。そして、上述したように防犯機能を備えるパネルセットを設置すれば、居室とエントランス空間との間の壁に、必ずしも防犯機能を持たせる必要がなくなるので、エントランス空間に面する壁を通気性や採光性に優れる構造にした、通気性及び採光性に優れる配置計画を採用することが可能になる。
【００３８】
また、住宅の住人は、玄関を利用して、居住空間とエントランス空間との間を容易に行き来することができ、防犯が確保されたエントランス空間を安心した状態で利用することができる。そして、住人は、エントランス空間に居るとき、外部空間に居る者や、隣接する住宅や住個のエントランス空間に居る住人の気配を感じることができる。したがって、エントランス空間内に居ながらにして、隣人等とパネルセット越しに対面して挨拶をしたり、隣の住宅又は住個のエントランス空間内に居る隣人と会話をしたりすることができるので、より容易にコミュニティを形成することができる。このようにしてコミュニティが形成されれば、隣人との間で相互防犯機能や相互扶助機能（独居老人の問題の解消等）を発揮させることができるようになる。
【００３９】
また、扉パネルは、前記固定パネルに組み込まれた構造になっているので、設置幅に合わせて固定パネルを連続的に設置することで簡単にパネルセットを住宅に設置することができる。
【００４０】
また、パネルセットは、施錠手段を備えており、防犯機能を備えている。したがって、パネルセットに、表札取付部、インターホン取付部、郵便受け用の開口部、照明取付部などを有するエントランスプレートが備えられる場合には、パネルセットの扉パネルを対外的には玄関ドアとして機能させることができる。
【００４１】
また、パネルセットは、視線を遮る遮蔽板が備えられているので、外部空間に居る者は容易に居住空間内を見ることができず、したがって住居空間内のプライバシーが確保されて居住性が向上する。
【００４２】
また、パネルセットの設置によりエントランス空間が確保されているので、パネルセット及びエントランス空間が防犯の機能をする。これにより、外部空間に居る者は、エントランス空間と居住空間との間の外壁に近づけなくなる。したがって、当該外壁に窓が設置されている場合、当該窓を開放し易くなるので、通気性を確保し易くなる。そして、窓の外にフェンス等を設置する必要がなくなるので、採光性をも確保し易くなる。より高い通気性が確保されれば、換気扇などの換気手段の使用を最小限にすることができ、しかも、より高い採光性が確保されれば、昼間の照明の使用を最小限にすることができるので、エネルギー使用量を最小限に抑制することができ、生活費や二酸化炭素排出量を抑制することができて、地球温暖化対策に貢献することができる。
【００４３】
また、パネルセットの設置によりエントランス空間が確保されており、防犯の機能が確保されているので、エントランス空間に接する外壁に、掃き出し窓などの大きな窓を設置することができる。より大きな窓を設置することができれば、通気性及び採光性をより確実に確保し易くなる。
【００４４】
また、マンション等の集合住宅の各住個は、共用通路等の共有スペースに隣接した造りになっている場合が多いので、より防犯性に優れた構造が採用されている。つまり、集合住宅の住個では、戸建ての住宅の場合よりも、訪問者等の確認がしにくいといった問題や、換気や採光がしにくいといった問題がより生じ易い。したがって、上述したようなパネルセットを設置した住宅構造は、マンション等の集合住宅の各住個の構造として、より好適であるということができる。
【００４５】
また、集合住宅の各住個の各居室は、エントランス空間側の周壁及びエントランス空間側とは反対側の周壁に、通風及び採光を可能にする戸若しくは窓を備えているので、通風性及び採光性に、より優れている。すなわち、本発明は、元々、玄関側すなわちエントランス空間側の外壁に通風及び採光が可能な窓が設置されており、エントランス空間側とは反対側の窓との間での風力換気が可能な構造である。したがって、各居室のエントランス空間側の周壁及びエントランス空間側とは反対側の周壁に、通風及び採光を可能にする戸若しくは窓をさらに備えれば、集合住宅の住個のエントランス空間側とその反対側との間で、効率良く風力換気を行うことができるとともに、採光も、最大可能量を住宅の奥部にまで取り入れることが可能になる。
【００４６】
また、エントランス空間は、外部空間とのアクセスが良いので、外部空間から汚れや埃などが持ち込まれ易いところ、エントランス空間の床面が防水構造であり、エントランス空間に水道設備が設置される場合には、汚れたものを住居内に持ち込む前に水で洗浄することができる。また、エントランス空間を水で流して清掃することができ、エントランス空間をきれいな状態に容易に保つことができる。その他、エントランス空間に居ながらにして、水を各種の用途に使用することができる。
【発明を実施するための最良の形態】
【００４７】
パネルセットは、玄関及びそれに連なる住宅の外壁の前方にエントランス空間を確保するために設置され、当該エントランス空間とエントランス空間外側の外部空間とを仕切るものであって、床面と天井面との間に固定された固定パネルと、開閉可能に設置された扉パネルと、当該扉パネルの施錠手段とを備え、固定パネル及び扉パネルのうちの少なくともいずれか一方は、エントランス空間と外部空間との間での通風が可能であるとともに、外部空間側からエントランス空間への採光が可能であり、かつ、エントランス空間から外部空間の視認が可能な構造であるものとする。そして、扉パネルは、前記固定パネルに組み込まれた構造になっているものとする。
【００４８】
また、パネルセットは、エントランスプレートをさらに備え、当該エントランスプレートは、表札取付部、インターホン取付部、郵便受け用の開口部、照明取付部のうちの少なくとも一つを有しているものとする。また、外部空間側からの視線を遮る遮蔽板をさらに備えているものとする。
【００４９】
また、上記パネルセットが設置された住宅において、パネルセットを設置することで確保されるエントランス空間は、エントランス空間と居室とを仕切る外壁に設置された１つ以上の通風及び採光が可能な窓に面しており、この１つ以上の窓のうちの少なくとも１つが掃き出し窓であるものとする。
【００５０】
さらに、住宅は集合住宅の住個であり、当該住個の各居室は、前記エントランス空間側の周壁及び前記エントランス空間側とは反対側の周壁に、通風及び採光を可能にする戸若しくは窓を備えているものとする。
【００５１】
さらに、住宅は、エントランス空間の床面が防水構造であり、エントランス空間に水道設備が設置されているものとする。
【実施例】
【００５２】
以下、本願発明に係るパネルセット及びパネルセットが設置された住宅の実施例について、図面を用いて詳細に説明する。
【００５３】
図１に示されるように、本実施例の住宅は、集合住宅の一住個である。そして、当該住個３０は、玄関ドア３２が設けられた外壁３２ｗと、外部空間である共用通路３４との間に設置されたパネルセット１０を備えている。
【００５４】
パネルセット１０は、住個の玄関前に設置されており、住個３０の前面側（玄関側）の占有幅Ｗのうち、玄関が設置されている外壁の両端に位置する両側壁の間に、両側壁間全幅に亘って設置されている。本実施例の住個３０では、パネルセット１０をこのような状態で設置することで、玄関ドア３２とパネルセット１０との間に、共用通路３４から完全に仕切られたエントランス空間３６を確保している。
【００５５】
図２及び図３に示されるように、パネルセット１０は、床面Ｆと天井面Ｃとの間に固定された複数の固定パネル１２と、開閉可能に設置された扉パネル（以下、単に扉と称することがある）１４と、当該扉１４を施錠するための施錠ユニット１５と、後述のエントランスプレート１６とを備えており、図示しないキーで施錠ユニット１５（施錠手段）を操作することによって扉１４を施錠できるようになっている。
【００５６】
固定パネル１２は４枚用いられており、これらのうちの１枚の固定パネル１２に、扉１４が開閉自在な状態で組み込まれている。なお、当該固定パネル１２では、扉１４の上側が欄間１４ｒになっており、床面Ｆから天井面Ｃまで隙間なくパネル１０が配置されるようになっている。また、固定パネル１２及び扉１４は、いずれも、共用通路３４からパネル越しにエントランス空間３６内に侵入することができない堅牢なものである。
【００５７】
なお、固定パネル１２や扉１４の材料としては、例えば、いわゆるアルミサッシなどのアルミニウム合金、ステンレスなどの鉄系合金など種々の材料を用いることができる。そして、固定パネル１２としては、材料表面に、塗装仕上げ、めっき仕上げ、あるいは樹脂被覆仕上げなどの仕上げが施されたものが防食性に優れる等の観点から好ましい。
【００５８】
図３に示されるように、固定パネル１２は、正面視四角形状で、４つの枠１２ａ〜１２ｄからなる枠体１２ｆを備えている。そして、枠体１２ｆの内側は、２本の縦桟と多数の横桟とからなる格子状１２ｍになっている。また、扉１４も、固定パネル１２と同様、４つの枠１４ａ〜１４ｄからなる正面視四角形状の枠体１４ｆを備えており、枠体１４ｆの内側は、１本の縦桟と、多数の横桟とからなる格子状１４ｍになっている。
【００５９】
したがって、エントランス空間３６と共用通路３４部分の空間とは、パネルセット１０によって仕切られてはいるものの、空間的には連通している。つまり、固定パネル１２及び扉１４は、エントランス空間３６と共用通路３４との間での通風を可能にする構造であるとともに、共用通路３４側からエントランス空間３６への採光を可能にする構造であり、かつ、エントランス空間３６から共用通路３４側の空間を視認することを可能にする構造である。
【００６０】
なお、固定パネル１２や扉１４の構造は、通気性、採光性あるいは視認性のうちの少なくともいずれか１つの機能が確保されている構造が好ましく、これら全ての機能が確保された構造がより好ましい。
【００６１】
また、固定パネル１２は、床面Ｆから天井面Ｃに達する高さを備えている。したがって、共用通路３４に居る者が固定パネル１２を乗り越えてエントランス空間３６内に侵入することはできないようになっている。
【００６２】
扉１４は、左右一対の扉パネルからなる引き違い戸であり、固定パネル１２に対して、開閉動作可能な状態で取り付けられている。したがって、住人や訪問者などの人は、扉１４を開いた状態にすることで、エントランス空間３６と共用通路３４との間を容易に行き来することができる。なお、扉１４は、固定パネル１２と同じ材料からなるものである。
【００６３】
また、扉１４には、扉１４を閉状態に保持するための施錠ユニット１５が取り付けられている。したがって、施錠ユニット１５及びキーを用いて鍵をかけることによって、共用通路３４からエントランス空間３６への侵入を防止することができる。
【００６４】
エントランスプレート１６は、本実施例では、扉１４が取り付けられた固定パネル１２と、これに隣接する図３において向かって右側に配置された固定パネル１２との間に設置されている。そして、エントランスプレート１６は、表札取付部１７、インターホン取付部１８、郵便受け用の開口部１９、照明取付部２０を備えており、それぞれ、表札、インターホン、郵便受け及び照明が取り付けられている。
【００６５】
そこで、パネルセット１０の扉１４を施錠ユニットを用いて閉じると、訪問者等はエントランス空間３６内に入ることができず、玄関ドア３２の前に行くことができなくなる。玄関前に行くことができなければ、従来の集合住宅の住個では、住人の名前の確認やインターホンの使用が難しい。この点、パネルセット１０に、上記のようなエントランスプレート１６が備えられていれば、エントランスプレート１６に表札、インターホン、郵便受け及び照明を取り付けることによって、パネルセット１０の扉１４の前に居る状態で、住人の名前を確認でき、インターホンを利用して住人を呼び出すことができ、郵便や新聞などの配達物を郵便受けに配達することができ、便利である。
【００６６】
パネルセット１０の固定パネル１２及び扉１４には、共用通路３４からの視線を遮る遮蔽板２４が備えられている。このような遮蔽板２４が備えられていれば、共用通路３４に居る者が居住空間内を容易に見ることができなくなるので、居室空間内のプライバシーが確保され、居住性が向上する。
【００６７】
ところで、図４〜図８は、対応する居室を取り囲む側面の状態を示す展開図である。例えば、図４は、洋室Ａを取り囲む側面の状態を示す展開図であり、３つの展開面の図が並列的に示されている。各展開面の図の下側に示されている符号「１」「２」・・・は、図１の下部に示されている「展開方向」に対応している。符号「１」が付された展開面の図は、北側（共用通路３４側）の側面を示しており、符号「２」の展開面の図は、東側の側面を示しており、符号「３」の展開面の図は、南側（バルコニー側）の側面を示しており、符号「４」の展開面の図は、西側の側面を示している。
【００６８】
したがって、例えば、図４において符号「１」に対応する展開面の図は、洋室Ａの共用通路３４側の側面の状態を示している。なお、洋室Ａの西側は、隣接住個との境界に位置する壁の方向であるので、図４では、符号「４」の方向の展開面の図示を省略している。なお、このような展開図の見方は、図４〜図８の展開図について共通であるので、以下の説明では省略している。
【００６９】
図４に示されるように、本実施例の集合住宅の住個３０では、エントランス空間３６と洋室Ａとを仕切る共用通路３４側（北側）の壁に、通風及び採光が可能な掃き出し窓４０が設置された構造になっている。この掃き出し窓４０の外側には、フェンスや鉄格子などの防犯機能を有する構造は設置されておらず、掃き出し窓４０からエントランス空間３６に出入りすることができるようになっている。そして、外からの人の侵入などを気にすることなく、この掃き出し窓４０を開放することができる。
【００７０】
このような掃き出し窓４０を設置できる理由は、防犯機能を備えるパネルセット１０を設置して、住個３０の居室（ここでは洋室Ａ）と共用通路３４との間にエントランス空間３６を確保し、共用通路３４に居る者が掃き出し窓４０に近づけない構造になっているからである。この点を考慮すると、エントランス空間３６も防犯機能を備えているということができる。
【００７１】
このように、本実施例の住個３０では、共用通路３４側に掃き出し窓４０などの窓を設置することができ、このような窓を開放することで、簡単かつ確実に、共用通路側に通気用の開放部を確保することができる。
【００７２】
そして、本実施例の住個３０では、共用通路３４側の掃き出し窓４０の外側にフェンスや鉄格子などの防犯機能を有する構造を設置する必要がなく、実際に設置されていない。また、掃き出し窓４０は、いわゆるガラス窓であり、しかも大型の窓である。したがって、洋室Ａの北側は、極めて採光性に優れた構造になっている。
【００７３】
なお、洋室Ａの掃き出し窓４０の上側には、ルーバーサッシ４２が設置されており、これにより、掃き出し窓４０と天井との間に隙間ができないようになっている。そして、ルーバーサッシ４２は、光を透過させるとともに換気が可能な構造になっており、採光性と換気性に優れている。また、ルーバーサッシ４２は、後述する他の居室においても、窓の上側に設置されており、採光性と換気性の向上に寄与している。
【００７４】
また、洋室Ａの共用通路３４側の壁に掃き出し窓４０を設置することができる理由と同様の理由で、エントランス空間３６に隣接した洗面脱衣室４４や浴室４６の共用通路３４側の壁に大型の通風及び採光が可能な窓４８、５０を設置することができる。
【００７５】
図５は、洗面脱衣室４４を取り囲む側面の状態を示す展開図である。また、図６は、浴室４６を取り囲む側面の状態を示す展開図である。
【００７６】
各図に示される複数の展開面の図の下側の符号は、先に説明したように、図１の下部に示されている「展開方向」に対応しており、符号「１」の展開面の図が共用通路３４側（北側）の側面を示しており、符号「２」の展開面の図が東側の側面を示しており、符号「３」の展開面の図が南側の側面を示しており、符号「４」の展開面の図が西側の側面を示している。
【００７７】
図５に示されるように、エントランス空間３６に隣接する洗面脱衣室４４の共用通路側３４の壁には、ガラス窓である掃き出し窓４８が設置されている。また、図６に示されるように、浴室４６の共用通路３４側の壁にも、掃き出し窓ではないが、大型のガラス窓５０が設置されている。したがって、これらの窓４８、５０を開放状態にすることによって、共用通路３４側に、換気用の開放部を確保することができる。また、こられのガラス窓４８、５０の外側には、フェンス等の防犯機能を有する構造物が設置されていないので、簡単かつ確実に、窓によって採光することができる。
【００７８】
ところで、マンション等の集合住宅では、通常、各住個の両側に別の住個が隣接して配置されている。また、上述したように、従来の集合住宅では、玄関が設置されている共用通路側については、防犯機能を確保する必要があるので、共用通路側の壁に、換気効率に優れる大型の窓等を設置しにくい。設置できるとしても、図１２に示されるように、小型の窓１４０であり、しかも防犯用構造として面格子１４２などを設置する必要があり、換気効率が悪い。つまり、従来の集合住宅の住個では、換気効率に優れる大型の窓を設置することができる壁は、バルコニー側の壁だけになり勝ちである。このような構造の住個における換気は、主に、バルコニー側の壁に設置された窓を用いた重力換気（温度差換気）になる。
【００７９】
この点、本実施例の住個３０では、バルコニー５２側の壁だけでなく、共用通路３４側の壁にも大型の窓が設置されている。したがって、このような構造の集合住宅の住個３０では、共用通路３４側の窓とバルコニー５２側の窓を利用して、風力換気により、重力換気よりも極めて効率良く換気を行うことが可能である。
【００８０】
そして、本実施例の集合住宅の住個３０では、風力換気に適した配置計画が採用されている。
図１に示されるように、本実施例の住個３０は、洋室Ａ、和室、ＬＤＫなどの各居室のエントランス空間３６側の周壁と、エントランス空間３６側とは反対のバルコニー５２側の周壁とに、通風及び採光を可能にする戸や窓が備えられた構造になっている。
【００８１】
より具体的に説明すると、例えば、エントランス空間３６に隣接する洋室Ａは、その南側で和室５４と隣接しており、和室５４は、その南側でＬＤＫと隣接しており、ＬＤＫは、その南側でバルコニー５２に隣接している。
【００８２】
そして、図１及び図４に示されるように、洋室Ａの北側は、エントランス空間３６に面する掃き出し窓４０が設置されており、洋室Ａの南側である和室５４との境界には、引き違い戸５８が設置されている。また、図１及び図７に示されるように、和室５４の南側であるＬＤＫとの境界には、襖６０が設置されている。また、図１及び図８に示されるように、ＬＤＫの南側であるバルコニー５２との境界には、ガラス窓である掃き出し窓６２が設置されている。
【００８３】
したがって、洋室Ａの北側の掃き出し窓４０と、洋室Ａと和室５４との境界の引き違い戸５８と、和室５４とＬＤＫとの境界の襖６０と、ＬＤＫの南側であるバルコニー５２との境界の掃き出し窓６２とを開放すると、共用通路３４とバルコニー５２との間での通風による風力換気を行うことができ、効率の良い換気を行うことができる。
【００８４】
また、本実施例の住個３０では、洋室Ａと和室との間の戸と、和室とＬＤＫとの間の戸を開放すると、洋室Ａ、和室及びＬＤＫのいずれの部屋においても、エントランス空間３６側及びバルコニー５２側の両方から採光を行うことができる。このように、本実施例の住個３０では、エントランス空間３６が備えられており、エントランス空間３６側の外壁に掃き出し窓４０などの通風性及び採光性に優れた構造を設けることができるので、住個全体を通風性及び採光性に優れた住宅配置計画にすることができる。
【００８５】
なお、本実施例の住個３０は、洋室Ａ、和室、ＬＤＫ及び洋室Ｂなどの居室だけでなく、洗面脱衣室も、エントランス空間３６側の周壁及びバルコニー５２側の周壁に戸や窓など、開閉可能なものが配置された構造になっている。つまり、居室だけでなく、洗面脱衣室などをも含む全部屋を、エントランス空間３６側の周壁及びバルコニー５２側の周壁に、戸や窓などが備えられた構造にしてもよい。さらに、浴室や便所などを含む全ての開閉可能な空間のエントランス空間３６側の周壁及びバルコニー５２側の周壁に、戸や窓などが備えられた構造にしてもよい。
【００８６】
他方、従来の集合住宅の住個１３０（図１２参照）では、バルコニー５２側の掃き出し窓６２を開放させた状態で行う重力換気が主な換気手段になる。このような住個１３０では、居室の配置計画をたとえ風力換気に適したものにしても、効率の良い風力換気を行うことはできない。したがって、図１２に示されるように、従来の集合住宅の住個１３０では、洋室Ａと和室５４との間に、換気に用いることができる開放部を確保しない構造になる。
【００８７】
また、本実施例の住個３０では、共用通路３４とバルコニー５２との間で南北に並ぶ洗面脱衣室４４、洋室Ｂ、ＬＤＫについても、同様に効率の良い換気を行うことができる配置計画が採用されている。つまり、洗面脱衣室４４の北側の掃き出し窓４８（図１、図５参照）と、洗面脱衣室４４と洋室Ｂとの境界のガラス製の引き違い戸６４（図１、図５参照）と、洋室ＢとＬＤＫとの境界の引き違い戸６６（図１参照）と、ＬＤＫの南側であるバルコニー５２との境界の掃き出し窓６２（図１、図８参照）とを開放すると、共用通路３４とバルコニー５２との間で風力換気を行うことができ、効率の良い換気を行うことができる。
【００８８】
これに対し、従来の集合住宅の住個１３０（図１２参照）では、洗面脱衣室４４と洋室Ｂとの間や、洋室ＢとＬＤＫとの間に、換気に用いることができる開放部を確保しない構造になる。
【００８９】
再び、本実施例に戻ると、共用通路３４とバルコニー５２との間で南北に並ぶ玄関、ホール、廊下、ＬＤＫについても、同様に、効率の良い換気を行うことができる配置計画が採用されている。なお、配置計画は上記配置計画と同様であるので、ここでは、その詳細についての説明を省略する。
【００９０】
次に、上述した本実施例の集合住宅の住個における実際の生活を想定しつつ、住個の構造や住環境を説明する。
通常の場合、住人は、パネルセット１０の扉１４を施錠ユニットによって閉じた状態で生活している。この状態で、エントランス空間３６の前に訪問者が来た場合、訪問者は、エントランスプレート１６のインターホンのボタンを押して、来訪したことを住居内の住人に知らせる。このとき、パネルセット１０は格子状の構造であるので、住人は、玄関ドア３２を開けて、パネルセット１０越しに、扉１４の前に居る訪問者を視覚的に確認することができる。
【００９１】
従来の集合住宅の住個１３０（図１２参照）では、玄関ドア３２のそばに訪問者が居るので、玄関ドア３２を開けると、玄関ドア３２のそばに居る訪問者が開いた玄関ドア３２の隙間に物を挟み込ませるなどして、玄関ドア３２を閉じられないようにすることなどが可能であるので、玄関ドア３２を開けることには防犯上の問題があった。この点、本実施例の集合住宅の住個３０では、玄関前にエントランス空間３６が確保されており、訪問者はパネルセット１０の扉１４の向こう側に居るので、上述したような防犯上の問題が生ずることがない。したがって、住人は、玄関ドア３２を開けた状態あるいはエントランス空間３６に出た状態で、迅速かつ確実に訪問者が誰であるかを視覚的に確認することができる。
【００９２】
また、玄関ドア３２を開けた状態であれば、エントランス空間３６の前に居る者と会話を交わすことができる。従来の集合住宅の住個１３０では、玄関ドア３２として金属製などの堅牢なドアが用いられており、玄関ドア３２を閉じた状態では会話を交わすことは困難であった。この点、本実施例の集合住宅の住個３０では、上述したように、玄関ドア３２を開いた状態やエントランス空間３６に出た状態で、訪問者等に対応できるので、会話を交わすことによって、訪問者等が誰であるかを確認することができる。また、小さなものであれば、パネルセット３０越しに受け渡しすることができるので、例えば、回覧板などの受け渡しをすることができる。このように、パネルセット３０が設置された本実施例の集合住宅の住個３０では、かなりの通常用務を完遂させることができる。
【００９３】
また、換気を行いたい場合、バルコニー５２に面するＬＤＫの掃き出し窓６２を開放することができるが、本実施例の住個３０では、パネルセット１０の扉１４を施錠していれば、共用通路３４側の窓４０、４８、５０を開放することができる。従来の住個１３０（図１２参照）では、共用通路３４側の窓１４０は共用通路３４に面しているので、防犯上の問題から、このような窓１４０を不用意に開放することはできなかったが、本実施例の住個３０では、共用通路３４側の窓４０、４８、５０と共用通路３４の間にエントランス空間３６が確保されているので、防犯上の問題が生じにくく、換気の際に共用通路３４側の窓を開放することができる。
【００９４】
そして、上述したように、パネルセット１０は格子状であり、通風に適した構造になっており、また、本実施例の住個３０は、風力換気に適した配置計画になっている。したがって、バルコニー５２に面するＬＤＫの掃き出し窓６２と、共用通路３４側である洋室Ａの掃き出し窓４０や洗面脱衣室４４の掃き出し窓４８や浴室４６の窓５０とを開放すると、共用通路３４側とバルコニー５２側との間での風力換気によって、極めて効率良く換気を行うことができる。
【００９５】
また、本実施例の住個３０は、共用通路３４側からの採光が行い易い構造になっている。従来の集合住宅の住個では、共用通路に面する壁には、防犯の観点から、窓が設置されていないか、設置されていたとしても小さい窓であった。この点、本実施例の集合住宅の住個３０では、防犯機能を有するパネルセット１０を設置してエントランス空間３６を設けたので、共用通路３４側の壁に、掃き出し窓４０、４８などの大型の窓を設置することができる。パネルセット１０は格子状で採光に適した構造であり、また、掃き出し窓４０、４８などの大型の窓も採光に適している。したがって、本実施例の集合住宅の住個３０では、共用通路３４側からの採光が行い易い。
【００９６】
また、住人は、エントランス空間３６に居るときに、共用通路３４に居る者や隣接する住個のエントランス空間に居る住人の気配を感じることができる。そして、パネルセット１０は格子状であり、コミュニケーションを取るのに適した構造である。したがって、住人は、エントランス空間３６内に居ながらにして、パネルセット越しに、共用通路３４に居る者と対面して挨拶をしたり、隣の住個のエントランス空間に居る隣人と会話をしたりすることができる。したがって、普段の生活において、より容易にコミュニケーションを取ることができ、コミュニティを形成することができる。このようにしてコミュニティが形成されれば、隣人との間で相互防犯機能を発揮させることができるようになる。
【００９７】
なお、本願の発明は、以上の実施例に限定されるものではなく、その要旨を逸脱しない範囲において、種々の変形が可能である。
例えば、上記実施例のパネルセット１０は、住個３０の前側の占有幅Ｗのうち、玄関が設置されている外壁の両端の両側壁の間に、両側壁間全幅に亘って設置されている。これは、占有幅Ｗの一部が、水道メータなどのメータや温水器などの設備が設置されるメータボックス（ＭＢ）で占められており、これらの部分にパネルセット１０を設置する必要がなく、また設置しなくても良い構造になっているからである。したがって、例えば、住個の前側にメータボックスがない場合であれば、パネルセットを住個の占有幅の略全幅に亘って設置してもよい。ここで、「略全幅に亘って設置」とされるのは、住宅では柱が必要であるところ、占有幅の両端の柱の部分にパネルセットを設置することはできないからである。
【００９８】
また、固定パネル１２や扉１４の構造としては、上記実施例のような格子状構造に限られるものではなく、格子状構造以外にも、例えば、網構造、柵構造、あるいは種々の模様をあしらった構造（図９、図１０、図１１参照）など、通気性、採光性、視認性、デザイン性を備える種々の開放構造を採用し得る。また、遮蔽板も、単なる四角形の板形状のものに限られず、模様を利用したり、あしらったもの（図９、図１０参照）とすることができる。
【００９９】
また、エントランス空間３６に倉庫を設置してもよい。
エントランス空間３６は、防犯性を備えているので、保管用の倉庫の設置場所として好適である。そして、エントランス空間３６は、共用通路３４などの外部空間とのアクセスが極めて容易であるので、外部空間に持ち出して使用する物、例えば、ベビーカー、三輪車、自転車、台車、幼児用乗り物といった乗り物や搬送用具、スコップなどの砂遊び用具やボールなどの遊戯具といったおもちゃ等の保管場所として適している。したがって、エントランス空間３６内に倉庫を設置しておけば、上記のような外部空間に持ち出して使用する物を外部から見えない状態で確実に保管することができる。
【０１００】
また、エントランス空間３６の床面を防水構造とし、エントランス空間３６に水道設備を設置してもよい。
上述したように、エントランス空間３６は共用通路３４などの外部空間とのアクセスが良いので、外部空間から汚れや埃などが持ち込まれ易い。この点、エントランス空間３６の床面が防水構造であり、エントランス空間３６に水道設備が設置されていれば、汚れたものを住居内に持ち込む前に水で洗浄することができる。また、エントランス空間３６を水で流して清掃することができ、エントランス空間３６をきれいな状態に容易に保つことができる。なお、水道設備としては、最低限度として、水道の蛇口が設置されていればよいが、排水孔があることがより好ましく、蛇口から出した水が周囲に飛散することを防止するシンク状の囲いがあるとさらに好ましい。
【０１０１】
また、マンション等の集合住宅の各住個は、共用通路等の共有スペースに隣接した造りになっている場合が多く、防犯性に優れた構造が採用されている場合が多い。つまり、戸建ての住宅よりも集合住宅の住個の方が訪問者等を直接確認することが難しいといった問題や、換気や採光がしにくいといった問題が生じ易い。したがって、上述したようなパネルセットを設置した住宅構造は、マンション等の集合住宅の各住個の構造として、より好適であるということができる。ただし、本願発明に係る実施例のパネルセットは、集合住宅の住個に限らず、戸建ての住宅に設置して用いることもできる。
【図面の簡単な説明】
【０１０２】
【図１】本願発明に係る実施例の集合住宅の一住個を示す平面図である。
【図２】図１に示されるパネルセットを示す平面図である。
【図３】図１に示されるパネルセットを示す正面図である。
【図４】図１に示される住個の洋室Ａを取り囲む側面を示す展開図である。
【図５】図１に示される住個の洗面脱衣室を取り囲む側面を示す展開図である。
【図６】図１に示される住個の浴室を取り囲む側面を示す展開図である。
【図７】図１に示される住個の和室を取り囲む側面を示す展開図である。
【図８】図１に示される住個のＬＤＫを取り囲む側面を示す展開図である。
【図９】パネルセットの他の実施例を示す正面図である。
【図１０】パネルセットのさらに他の実施例を示す正面図である。
【図１１】パネルセットのさらに他の実施例を示す正面図である。
【図１２】従来の集合住宅の一住個を示す平面図である。
【符号の説明】
【０１０３】
１０…パネルセット、１２…固定パネル、１２ｆ…枠体、１２ｍ…格子状、１４…扉パネル（扉）、１４ｆ…枠体、１４ｍ…格子状、１４ｒ…欄間、１５…施錠ユニット、１６…エントランスプレート、１７…表札取付部、１８…インターホン取付部、１９…郵便受け用の開口部、２０…照明取付部、２４…遮蔽板、３０…住個、３２…玄関ドア、３２ｗ…外壁、３４…共用通路、３６…エントランス空間、４０…掃き出し窓、４２…ルーバーサッシ、４４…洗面脱衣室、４６…浴室、４８…掃き出し窓、５０…ガラス窓、５２…バルコニー、５４…和室、５８…引き違い戸、６０…襖、６２…掃き出し窓、６４…引き違い戸、６６…引き違い戸、Ｃ…天井面、Ｆ…床面、Ｗ…住個占有幅
【図１】
2009084892.tif 000003
【図２】
2009084892.tif 000004
【図３】
2009084892.tif 000005
【図４】
2009084892.tif 000006
【図５】
2009084892.tif 000007
【図６】
2009084892.tif 000008
【図７】
2009084892.tif 000009
【図８】
2009084892.tif 000010
【図９】
2009084892.tif 000011
【図１０】
2009084892.tif 000012
【図１１】
2009084892.tif 000013
【図１２】
2009084892.tif 000014